(57)【要約】【課題】扉が大型化並びにガラス扉化等によって大重量化してもこの大重量に抗して扉を強固に支持できる冷蔵庫の提供。【解決手段】ヒンジ部材１５を固定した仕切前板２８裏面の補強金具２９を冷蔵庫本体の側板部前端面１ａａまで延ばして、当該補強金具２９の延長片部２９ｂを冷蔵庫本体の側板部前端面１ａａに前記仕切前板の端部とともに固定した構成としてある。これにより、扉荷重を支持する補強金具は扉荷重を前記仕切板とともに冷蔵庫本体の側板部でも支持するような形となり、ヒンジ取付け部分の強度が大きく向上する。したがって、扉が大型化並びにガラス扉化等によって大重量化してもヒンジ取付け部分の変形や扉下がり等を効果的に抑制できる。【選択図】図１２
2017083046.tif 000002
【特許請求の範囲】
【請求項１】
冷蔵庫本体と、前記冷蔵庫本体内を仕切る仕切板と、前記仕切板の前面を覆う仕切前板と、前記仕切前板の前面に配置したヒンジ部材と、前記ヒンジ部材と対向する仕切前板裏面に配置した補強金具とを備え、前記ヒンジ部材は前記仕切板、補強金具とともに前記仕切板前面に固定するとともに、前記補強金具はその端部を前記冷蔵庫本体の側板部前端面まで延長させて、当該補強金具の延長片部を前記冷蔵庫本体の側板部前端面に前記仕切前板の端部とともに固定した冷蔵庫。
【請求項２】
ヒンジ部材はその一部を更に冷蔵庫本体の側板部前端面に補強金具の延長片部及び仕切前板の端部と共に共締め固定した請求項１記載の冷蔵庫。
【請求項３】
仕切板は上仕切板カバーと下仕切板カバーを組み合わせて構成し、前記仕切板の前面を構成する上・下各仕切板カバーの前面板同士を重合させて固定した請求項１または２記載の冷蔵庫。
【請求項４】
仕切板は内部に発泡断熱材を充填して構成した請求項１〜３のいずれか１項記載の冷蔵庫。
【請求項５】
仕切板はその前面板内面に補強部材を装着して発泡断熱材中に突出させた構成した請求項１〜４のいずれか１項記載の冷蔵庫。
【発明の詳細な説明】
【技術分野】
【０００１】
本発明は冷蔵庫に関し、特に冷蔵庫の扉支持構成に関するものである。
【背景技術】
【０００２】
一般に冷蔵庫は、断熱性を有する冷蔵庫本体内に冷蔵室、冷凍室、野菜室等を設け、これら各冷蔵室、冷凍室、野菜室等は扉によって開閉自在としてある。
【０００３】
そして上記扉のうち、冷蔵室を開閉する扉はヒンジによって回動自在に軸支してあり、その扉ヒンジ取付け部分には補強板を追加設置してヒンジ取付け部分の強度を向上し、ヒンジ取付け部分の変形や扉下がりを防止している（例えば、特許文献１参照）。
【０００４】
図１６、図１７は上記特許文献１に記載されている冷蔵庫の扉支持構成を示し、この冷蔵庫では、ヒンジ部材１０１を取り付け固定する仕切壁１０２前面の仕切前板１０３裏面に補強板１０４を設け、この補強板１０４にビス１０５によってヒンジ部材１０１を固定してある。
【０００５】
これにより、扉１０６の荷重は補強板１０４により支持されるようになり、ヒンジ取付け部となる仕切前板１０３の変形や扉下がりが軽減される、というものである。
【０００６】
なお、上記補強板１０４はその両端部１０４ａを仕切壁１０２の左右端面に固定して仕切壁１０２に一体化することにより、仕切壁１０２及び仕切前板１０３強度を向上させている。
【０００７】
なお、図中１０７は仕切壁１０２の前端部に設けた断熱材である。
【先行技術文献】
【特許文献】
【０００８】
【特許文献１】特開平１１−１４２４２号公報
【発明の概要】
【発明が解決しようとする課題】
【０００９】
しかしながら、最近、冷蔵庫は大型化しており、しかも品位向上の観点から扉の前板をガラス板とするようになってきていて、扉は大重量化している。
【００１０】
そのため、ヒンジ取付け部に加わる荷重も大きなものとなってきており、上記仕切前板１０３裏面に配置した補強板１０４を仕切壁１０２に固定して一体化し扉荷重を支持させるようにしただけの従来の構成では十分な支持強度が得られず、ヒンジ取付け部のさらなる強度アップに迫られていた。
【００１１】
本発明はこのような点に鑑みてなしたもので、扉が大型化並びにガラス扉化等によって大重量化してもこの大重量に抗して扉を強固に支持できる冷蔵庫の提供を目的としたものである。
【課題を解決するための手段】
【００１２】
本発明は上記目的を達成するため、仕切前板の裏面に配置した補強金具はその端部を冷蔵庫本体の側板部前端面まで延長させて、当該補強金具の延設片部を前記冷蔵庫本体の側板部前端面に前記仕切前板の端部とともに固定した構成としてある。
【００１３】
これにより、扉荷重を支持する補強金具は仕切板とともに冷蔵庫本体の側板部とも一体化して当該補強金具にかかる扉荷重を支持するような形となり、ヒンジ取付け部分の強度が大きく向上する。すなわち、ヒンジ部材取付け部分は上記補強金具の延長片部の冷蔵庫本体側板部への固定による補強効果が加わってその強度が大きく向上する。したがって、扉が大重量化してもヒンジ取付け部分の変形や扉下がり等を効果的に抑制できる。
【発明の効果】
【００１４】
本発明は、上記構成により、扉の大型化並びにガラス扉化等があって大重量化してもヒンジ取付け部分の変形や扉下がり等を防止でき、信頼性の高い冷蔵庫とすることができる。
【図面の簡単な説明】
【００１５】
【図１】本発明の実施の形態１における冷蔵庫の外観斜視図
【図２】同冷蔵庫の概略縦断面図
【図３】同冷蔵庫の冷蔵庫本体を示す正面図
【図４】同冷蔵庫の冷蔵庫本体内部を示す斜視図
【図５】同冷蔵庫の上・下仕切板を示す分解斜視図
【図６】同冷蔵庫の扉ヒンジ部材取付け部分を示す斜視図
【図７】同冷蔵庫の扉ヒンジ部材取付け部分となる仕切板前面を示す斜視図
【図８】（ａ）同冷蔵庫の扉ヒンジ部材取付け部分を補強する補強金具の斜視図、（ｂ）正面図
【図９】同冷蔵庫の扉ヒンジ部材取付け部分の補強金具取り付け状態を示す斜視図
【図１０】同冷蔵庫の扉ヒンジ部材取付け工程を示す説明図
【図１１】同冷蔵庫の扉ヒンジ部材取付け部分の正面図
【図１２】同冷蔵庫の扉ヒンジ部材取付け部分を示す図１１のＡ−Ａ断面図
【図１３】同冷蔵庫の扉ヒンジ部材取付け部分を示す図１１のＢ−Ｂ断面図
【図１４】同冷蔵庫の扉ヒンジ部材取付け部分を示す図１１のＣ−Ｃ断面図
【図１５】同冷蔵庫の扉ヒンジ部材取付け部分を示す図１４Ｄ部分の斜視図
【図１６】従来の冷蔵庫におけるヒンジ取付け部分の断面図
【図１７】従来のヒンジ取付け部分となる仕切板の補強金具取付け部分を示す斜視図
【発明を実施するための形態】
【００１６】
第１の発明は、冷蔵庫本体と、前記冷蔵庫本体内を仕切る仕切板と、前記仕切板の前面を覆う仕切前板と、前記仕切前板の前面に配置したヒンジ部材と、前記ヒンジ部材と対向する仕切前板裏面に配置した補強金具とを備え、前記ヒンジ部材は前記仕切板、補強金具とともに前記仕切板前面に固定するとともに、前記補強金具はその端部を前記冷蔵庫本体の側板部前端面まで延長させて、当該補強金具の延長片部を前記冷蔵庫本体の側板部前端面に前記仕切前板の端部とともに固定した構成としてある。
【００１７】
これにより、扉荷重を支持する補強金具は仕切板とともに冷蔵庫本体の側板部とも一体化して当該補強金具にかかる扉荷重を支持するような形、換言すると当該補強金具にかかる扉荷重を前記仕切板とともに冷蔵庫本体の側板部でも支持するような形となり、ヒンジ取付け部分の強度が大幅に向上する。つまり、補強金具の延長片部の冷蔵庫本体側板部への固定による補強効果が加わってヒンジ取付け部分の強度が大きく向上する。したがって、扉が大型化並びにガラス扉化等によって大重量化してもヒンジ取付け部分の変形や扉下がり等を効果的に抑制できる。
【００１８】
第２の発明は、第１の発明において、前記ヒンジ部材はその一部を更に冷蔵庫本体の側板部前端面に補強金具の延長片部及び仕切前板の端部と共に共締め固定した構成としてあ
る。
【００１９】
これにより、ヒンジ部材は冷蔵庫本体の側板部によっても直接支持されることになり、冷蔵庫本体側板部と仕切板の両者による支持により扉下がり等を効果的に防止することができる。
【００２０】
第３の発明は、第１または第２の発明において、前記仕切板は上仕切板カバーと下仕切板カバーを組み合わせて構成し、前記仕切板の前面を構成する上・下各仕切板カバーの前面板同士を重合させて固定した構成としてある。
【００２１】
これにより、ヒンジ部材、仕切前板、補強金具を固定する仕切板の前面自体の強度を向上させることができ、ヒンジ取付け部分の強度をより向上させ、扉下がり等をより効果的に防止することができる。
【００２２】
第４の発明は、第１〜第４の発明において、前記仕切板は内部に発泡断熱材を充填した構成としてある。
【００２３】
これにより、仕切板自体の強度が発泡断熱材によって高いものとなり、ヒンジ取付け部分の強度を更に向上させることができる。
【００２４】
第５の発明は、第４の発明において、前記仕切板はその前面板内面に補強部材を装着して発泡断熱材中に突出させた構成としてある。
【００２５】
これにより、仕切板の前面板部分は発泡断熱材中に突出した補強部材によってその強度が大幅に向上するので、ヒンジ取付け部分の強度は大幅に向上し、扉下がり等をより効果的に防止することができる。
【００２６】
以下、本発明の実施の形態について、図面を参照しながら説明する。なお、この実施の形態によって本発明が限定されるものではない。
【００２７】
図１は本発明の実施の形態１における冷蔵庫の外観斜視図、図２は同冷蔵庫の概略縦断面図、図３は同冷蔵庫の冷蔵庫本体内部を示す正面図、図４は同冷蔵庫の冷蔵庫本体内部を示す斜視図、図５は同冷蔵庫の上・下仕切板を示す分解斜視図である。
【００２８】
図１〜図５において、本実施の形態における冷蔵庫の冷蔵庫本体１は、前方に開口する金属製の外箱２と、硬質樹脂製（例えばＡＢＳ）の内箱３と、これら外箱２と内箱３との間に発泡充填した硬質の発泡ウレタン等の発泡断熱材４からなる。
【００２９】
上記冷蔵庫本体１はその左右横幅方向の寸法を大きくして大型化してあり、その内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９等の複数の貯蔵室を有する。
【００３０】
また、前記複数の貯蔵室のうち冷蔵室５の前面は、観音開き式の扉１０（１０ａ，１０ｂ）により開閉自在に閉塞し、切替室６及び製氷室７と冷凍室８と野菜室９の前面部は引き出し式の扉１１，１２，１３，１４によって開閉自在としてある。
【００３１】
上記各扉１０〜１４は冷蔵庫本体１と同様硬質のウレタンを発泡充填して断熱性を持たせてあり、更に意匠性を向上させるべくその前面はガラス板等の透明前板を装着して構成したガラス扉としてある。
【００３２】
そして、前記冷蔵室５の前面の観音開き式の扉１０ａ，１０ｂは、その一側端上下部分を冷蔵庫本体１に装着したヒンジ部材１５によって軸支してあり、その一方の扉１０ａは他方の扉１０ｂよりも大きく構成されている。
【００３３】
一方、冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２０ａと、前記した冷却器１７とを順次環状に接続してなる冷凍サイクルに冷媒を封入し、冷却運転を行うように構成してある。
【００３４】
ここで上記冷蔵庫本体１は、仕切板２１、２２、２３により本体内を仕切ることによって前記した冷蔵室５、切替室６及びこれに並設した製氷室７、冷凍室８、野菜室９を形成している。
【００３５】
上記仕切板２１、２２、２３のうち、冷蔵室５と切替室６及びこれに並設した製氷室７との間を仕切る仕切板２１は、図５に示すように、上仕切板カバー２１ａと下仕切板カバー２１ｂとを組み合わせ、これらの間に冷気通路形成用のダクト部材２４、２５やダンパ部材２６を配置して発泡ウレタン等の発泡断熱材（図示せず）を充填し構成してある。
【００３６】
そして、上記仕切板２１の前面には霜取りヒータ装着用板２７を介して仕切前板２８が装着してあり、その左右両端部分に補強金具２９を配置し、その前面に仕切前板２８を装着して前記したヒンジ部材１５をビス止め固定し、仕切板２１上方に形成される冷蔵室の扉１０（１０ａ，１０ｂ）を軸支している。
【００３７】
以下そのヒンジ部材取付け部分の構成について図６〜図１５を用いて説明する。
【００３８】
図６は冷蔵庫の扉ヒンジ部材取付け部分を示す斜視図、図７は同冷蔵庫の扉ヒンジ部材取付け部分となる仕切板前面を示す斜視図、図８（ａ）は同冷蔵庫の扉ヒンジ部材取付け部分を補強する補強金具の斜視図、同（ｂ）は正面図、図９は同冷蔵庫の扉ヒンジ部材取付け部分の補強金具取り付け状態を示す斜視図、図１０は同冷蔵庫の扉ヒンジ部材取付け工程を示す説明図、図１１は同冷蔵庫の扉ヒンジ部材取付け部分の正面図、図１２は図１２のＡ−Ａ断面図、図１３は図１２のＢ−Ｂ断面図、図１４は図１２のＣ−Ｃ断面図、図１５は図１４Ｄ部分の斜視図である。
【００３９】
図６〜図１５において、仕切板２１は前記した如く上・下各仕切板カバー２１ａ、２１ｂを組み合わせて構成しているが、図６、図１３、図１４に示すように、その前面板３０は、上・下各仕切板カバー２１ａ、２１ｂの各前面板３０ａ、３０ｂを重合させて前板一体化用ビス３１により一体化した形となっている。
【００４０】
そして、上記上・下各仕切板カバー２１ａ、２１ｂの各前面板３０ａ、３０ｂの内面には略Ｌ字状の補強板部材３２を一体に共締め固定し、当該補強板部材３２が上・下各仕切板カバー２１ａ、２１ｂ間の発泡断熱材中に突出し没入した形としてある。
【００４１】
また、上記仕切板２１の前面板３０（上仕切板カバー２１ａの前面板３０ａ）には、図７に示すように、補強金具取付け用ボス３３およびヒンジ部材取付け用ボス３４が一体形成してある。
【００４２】
なお、前記上・下各仕切板カバー２１ａ、２１ｂの前面部分には図６及び図１４に示すように発泡スチロール等の断熱材３５が装着してある。
【００４３】
一方、前記補強金具２９は、図８（ａ）に示すように、その上下部に折り曲げ片２９ａが設けてあり、その前面には前記仕切板２１の補強金具取付け用ボス３３およびヒンジ部材取付け用ボス３４に対応する金具取付け用孔３６とヒンジ部材取付け用孔３７が設けてある。
【００４４】
そして、上記補強金具２９はその金具取付け用孔３６とヒンジ部材取付け用孔３７を仕切板２１の補強金具取付け用ボス３３およびヒンジ部材取付け用ボス３４に合わせて仕切板２１前面に設置し、金具取付け用孔３６に挿通した金具取付け用ビス３９を補強金具取付け用ボス３３にねじ込んで図９、図１２、図１３に示すように仕切板２１の前面に固定してある。
【００４５】
この時、補強金具２９はその折り曲げ片２９ａが図８（ｂ）に示すように上仕切板カバー２１ａに設けた突起３８に嵌り込むことによって位置決めされ、前記金具取付け用孔３６及びヒンジ部材取付け用孔３７と仕切板２１の補強金具取付け用ボス３３およびヒンジ部材取付け用ボス３４との位置合わせが行われる。
【００４６】
また上記補強金具２９、この例では大きな扉１０ａを軸支する側の補強金具２９は、図９、図１１、図１２に示すように、その端部を冷蔵庫本体１の側板部１ａの側板部前端面１ａａまで延ばして延長片部２９ｂが設けてあり、この延長片部２９ｂを前記仕切前板２８の端部とともに冷蔵庫本体１の側板部前端面１ａａの内側にもぐり込ませた形で前記仕切前板２８の端部とともに側板部前端面１ａａに共締め固定してある。
【００４７】
そしてこの状態で前記補強金具２９を覆う如く仕切板２１の前面に配置した仕切前板２８の前面にヒンジ部材１５を配置し、仕切板２１のヒンジ部材取付け用ボス３４に補強金具２９のヒンジ部材取付け用孔３７を介してヒンジ取付け用ビス４０をねじ込んで、ヒンジ部材１５、仕切前板２８、補強金具２９が仕切板２１の前面に共締め固定してある。
【００４８】
更にこの実施の形態では、前記ヒンジ部材１５はその扉軸支ピン１５ａ側部分も前記した補強金具２９の延長片部２９ｂ及び仕切前板２８の端部とともに冷蔵庫本体１の側板部前端面１ａａに共締め固定してある。
【００４９】
以上のように構成した冷蔵庫について、次にその作用効果について説明する。
【００５０】
まず、ヒンジ部材１５は、図１０の上から順に示すようにして冷蔵庫本体１に取り付け固定する。すなわち、まず仕切板２１の前面に霜取りヒータ装着用板２７を介して補強金具２９を取り付け固定し、その前面に霜取り用冷媒管４２を配管した後、仕切前板２８を配置して、その前面からヒンジ部材１５をビス止めすることによって行う。その取付け詳細は前記した通りである。
【００５１】
このようにして冷蔵庫本体１に取り付け固定したヒンジ部材１５は、扉１０ａを支持して冷蔵室５を開閉自在とするが、この扉１０ａの荷重はヒンジ部材１５を介してヒンジ部材１５を取り付け固定した補強金具２９にかかる。
【００５２】
ここで上記補強金具２９はその端部に前記冷蔵庫本体１の側板部前端面１ａａまで延びる延長片部２９ｂを設け、前記補強金具２９の延長片部２９ｂを前記冷蔵庫本体１の側板部前端面１ａａに前記仕切前板２８の端部とともに固定しているから、補強金具２９にかかる扉荷重を前記仕切板２１とともに冷蔵庫本体１の側板部１ａでも支持するような形となり、ヒンジ取付け部分の強度が大幅に向上する。
【００５３】
詳述すると、従来補強金具は仕切板２１のみに固定されていて補強金具にかかる扉荷重は仕切板２１のみで支持したような形となっているが、この実施の形態では、補強金具２９の延長片部２９ｂを冷蔵庫本体１の側板部前端面１ａａに固定しているので、この冷蔵庫本体１の側板部前端面１ａａでも扉荷重を支持するようになるのである。そして、従来も仕切板２１の前面を覆う仕切前板２８の端部が冷蔵庫本体１の側板部前端面１ａａに固定されていたが、これだけでは不足する扉荷重の支えを前記補強金具２９の側板部前端面１ａａへの固定が補う形となり、ヒンジ取付け部分の強度が向上するのである。
【００５４】
つまり、ヒンジ部材取付け部分は上記補強金具２９の延長片部２９ｂの冷蔵庫本体側板部１ａへの固定による補強効果が加わってヒンジ取付け部分の強度が大きく向上するのである。
【００５５】
したがって、扉１０ａが大型化並びにガラス扉化等によって大重量化してもヒンジ取付け部分の変形や扉下がり等を効果的に抑制できる。
【００５６】
特に補強金具２９は仕切前板２８よりも板厚を厚くしたり、本実施の形態で例示したようにその上下部に折り曲げ片２９ａを設けたりして、仕切前板２８よりもその剛性を高めてあるので、補強金具２９の側板部前端面１ａａへの固定による補強効果は大きなものがあり、扉下がり等を効果的に防止することができる。
【００５７】
また、前記ヒンジ部材１５はその一部を更に冷蔵庫本体１の側板部前端面１ａａに前記補強金具２９の延長片部２９ｂ及び仕切前板２８の端部と共に共締め固定してあるから、ヒンジ部材１５は冷蔵庫本体側板部１ａによっても直接支持されることになり、冷蔵庫本体側板部１ａと仕切板２１の両者による支持により扉下がり等を効果的に防止することができる。
【００５８】
更に、前記仕切板２１は上仕切板カバー２１ａと下仕切板カバー２１ｂを組み合わせて構成し、前記仕切板２１の前面を構成する上・下各仕切板カバー２１ａ、２１ｂの前面板３０ａ、３０ｂ同士を重合させてビス止め固定した構成としてあるから、ヒンジ部材１５、仕切前板２８、補強金具２９を固定する仕切板２１の前面板３０自体の強度を向上させることができる。したがって、この上・下各仕切板カバー２１ａ、２１ｂの前面板３０ａ、３０ｂ同士の重合構成によってもヒンジ取付け部分の強度を向上させることができ、扉下がり等をより効果的に防止することができる。
【００５９】
加えて、前記仕切板２１は内部に発泡断熱材を充填した構成としてあるから、仕切板２１自体の強度が発泡断熱材によって高いものとなり、ヒンジ取付け部分の強度を更に向上させることができる。
【００６０】
更に、前記仕切板２１はその前面板３０内面に補強板部材３２を装着してこれを発泡断熱材中に突出させた構成としてあるから、仕切板２１の前面板３０部分は発泡断熱材中に突出した補強板部材３２によってその強度が大幅に向上する。したがって、ヒンジ取付け部分の強度は大幅に向上し、扉下がり等をより効果的に防止することができる。
【００６１】
以上、本発明に係る冷蔵庫について、上記実施の形態を用いて説明したが、本発明は、これに限定されるものではない。
【００６２】
例えば、ヒンジ部材１５はその軸支ピン１５ａ側部分も前記した補強金具２９の延長片部２９ｂ及び仕切前板２８の端部とともに冷蔵庫本体１の側板部前端面１ａａに共締め固定したものを例示したが、この軸支ピン１５ａ側部分は冷蔵庫本体１の側板部前端面１ａａに固定せずフリーとしていてもよいものである。
【００６３】
また、本実施の形態では、ヒンジ取付け部分の強度向上策の一環として、上・下仕切板カバー２１ａ、２１ｂの前面板３０ａ、３０ｂ同士を重合させて固定したり、あるいは仕切板２１の前面板３０内面に補強板部材３２を装着してこれを発泡断熱材中に突出させたりしているが、これは必要に応じて施せばよいものである。
【００６４】
このように、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６５】
以上のように本発明は、扉の大型化並びにガラス扉化等があって大重量化してもヒンジ取付け部分の変形や扉下がり等を防止でき、信頼性の高い冷蔵庫とすることができ、一般用はもちろん業務用の冷蔵庫やワインクーラーにも幅広く適用できる。
【符号の説明】
【００６６】
１  冷蔵庫本体
１ａ  側板部（冷蔵庫本体側板部）
１ａａ  側板部前端面
１ｂ  底板部
２  外箱
３  内箱
４  発泡断熱材
５  冷蔵室
６  切替室
７  製氷室
８  冷凍室
９  野菜室
１０、１０ａ、１０ｂ、１１、１２、１３、１４  扉
１５  ヒンジ部材
１６  冷却室
１７  冷却器
１８  送風ファン
１９  圧縮機
２０  放熱パイプ
２０ａ  キャピラリーチューブ
２１、２２、２３  仕切板
２１ａ  上仕切板カバー
２１ｂ  下仕切板カバー
２４、２５  ダクト部材
２６  ダンパ部材
２７  霜取りヒータ装着用板
２８  仕切前板
２９  補強金具
２９ａ  折り曲げ片
２９ｂ  延長片部
３０  前面板
３０ａ、３０ｂ  前面板
３１  前板一体化用ビス
３２  補強板部材（補強部材）
３３  補強金具取付け用ボス
３４  ヒンジ部材取付け用ボス
３５  断熱材
３６  金具取付け用孔
３７  ヒンジ部材取付け用孔
３８  突起
３９  金具取付け用ビス
４０  ヒンジ取付け用ビス
４１  ヒンジ取付け用補助ビス
４２  霜取り用冷媒管
【図１】
2017083046.tif 000003
【図２】
2017083046.tif 000004
【図３】
2017083046.tif 000005
【図４】
2017083046.tif 000006
【図５】
2017083046.tif 000007
【図６】
2017083046.tif 000008
【図７】
2017083046.tif 000009
【図８】
2017083046.tif 000010
【図９】
2017083046.tif 000011
【図１０】
2017083046.tif 000012
【図１１】
2017083046.tif 000013
【図１２】
2017083046.tif 000014
【図１３】
2017083046.tif 000015
【図１４】
2017083046.tif 000016
【図１５】
2017083046.tif 000017
【図１６】
2017083046.tif 000018
【図１７】
2017083046.tif 000019